(57)【要約】【課題】この発明は携帯電話で広告などを見るのに、任意に受信した電子メールへ広告や宣伝又は広報などのアイコン画面が自動的に添付される為、携帯電話のキィーなどで任意に打ち込んだりする事が不用となります。又、この時に電子メールを送信された側で図１の１へも、図１の２携帯電話の製造メーカーや管理業者（例えばＮＴＴドコモやその他の携帯電話事業社）などより、図２の６のように携帯電話の画面へ自動的に広告や宣伝などを配信する事が出来る発明です。【解決手段】携帯電話に任意に受信した電子メールを開く度に、広告や宣伝又は広報などのアイコン画面が自動的に添付されている為に、広告や宣伝又は広報などの情報を操作性もいたって簡単にいち早く多くの情報などを入手する事が出来ます。【選択図】    図１
2005301954.tif 000002
【特許請求の範囲】
【請求項１】
図１の１の携帯電話で特定の相手並びに不特定の相手より電子メールで送信された内容を、図１の３が受信した電子メールを開く時に携帯電話の画面の一部に、図１の２の携帯電話の製造メーカーや管理業者（例えばＮＴＴドコモやその他の携帯電話事業社）などより、例えばブランドなどの広告や町内や市内、又はもよりの地域に合った広告や宣伝を自動的に添付する事で、図１の３の受信された側がこの広告などを簡単に閲覧をしたり、又は、その広告や宣伝の配信先の相手へ問い合わせの電子メールを簡単に送信が出来ます。
又、この時に電子メールを送信された側で図１の１へも、図１の２携帯電話の製造メーカーや管理業者（例えばＮＴＴドコモやその他の携帯電話事業社）などより、図２の６のように携帯電話の画面へ自動的に広告や宣伝などを配信する事が出来る発明です。
【請求項２】
図１の１の携帯電話で特定の相手並びに不特定の相手より電子メールで送信された内容を図１の３が受信した電子メールを開く時に携帯電話の画面へ、一部若しくは、特定の広告や宣伝の画面が入ったページを用意する事で、電子メールを受信された方が、特定のインターネットホームページアドレスを任意に打ち込んだり、又は、特定のアドレスを探さなくても容易に広告を配信されてる相手側へ極めて短じかい時間でアクセスを可能にする為の発明です。
尚、図３の７で受信した電子メールを開く度に、毎回に渡って図１の２の携帯電話の製造メーカーや管理業者（例えばＮＴＴドコモやその他の携帯電話事業社）などより、携帯電話の画面の一部へ、常に新しい情報などが自動的に表示され、又この常に新しい情報とは、写真とかアイコンなどでもありこの常に新しい写真やアイコンなどを使う事で、配信者のホームページへ直接にアクセスする事が可能な発明です。
【請求項３】
図１の２の携帯電話の製造メーカーや管理業者（例えばＮＴＴドコモやその他の携帯電話事業社）などが、予め、携帯電話の宣伝などのアイコン画面の一部へ広告や宣伝のアイコンの画面を登録してみたり、特定の広告や宣伝のアイコン画面ページを用意した広告や宣伝のアイコン画面ページへ特定の相手並びに不特定の相手より図１の３が受信した電子メールを開く度に、図１の２の携帯電話の製造メーカーや管理業者（例えばＮＴＴドコモやその他の携帯電話事業社）などより、携帯電話の画面の一部へ、常に新しい情報などが自動的に表示される事で広告や宣伝の波及効果を高める為の発明です。
【請求項４】
図１の２の携帯電話の製造メーカーや携帯電話管理業者（例えばＮＴＴドコモやその他の携帯電話事業社）などが、民間企業のクライアントや又は公的機関のクライアントなどから、予め用意をして置いた広告や宣伝又は広報などを、定期的に入れ替えたりする事で多くの人たちへ、色々な新しい情報などを携帯電話の電子メールと言うメディアを活用した情報通信にてより多くの人々へ伝える事が可能な発明です。
【発明の詳細な説明】
【発明に属する技術分野】
【０００１】これまでは携帯電話で広告などを見るのに、わざわざインターネットのホームページアドレスを携帯電話のキィーなどで任意に打ち込んだりしていましたが、このシステムでは、予め図１の２の携帯電話の製造メーカーや携帯電話の管理業者が携帯電話へ写し出されるアイコン画面などを設定及び登録が出来る為に、広告や宣伝又は広報などを簡単に見る事が出来ます。
【背景技術】
【０００２】従来は携帯電話で広告などを見るのにインターネットのホームページアドレスを、携帯電話のキィーなどで任意に打ち込んだりする事が必要不可欠でした。
【発明が解決しようとする課題】
【０００３】この発明は携帯電話で広告などを見るのに、インターネットのホームページアドレスを携帯電話のキィーなどで任意に打ち込んだりする事が必要不可欠でしたが、この方式では図１の１の携帯電話で特定の相手並びに不特定の相手より受信した電子メールへ、広告や宣伝又は広報などのアイコン画面が自動的に添付される為、携帯電話のキィーなどで任意に打ち込んだりする事が不用となります。
又、この時に電子メールを送信された側で図１の１へも、図１の２携帯電話の製造メーカーや管理業者（例えばＮＴＴドコモやその他の携帯電話事業社）などより、図２の６のように携帯電話の画面へ自動的に広告や宣伝などを配信する事が出来る発明です。
【課題を解決しようとする手段】
【０００４】図１の１の携帯電話で特定の相手並びに不特定の相手より電子メールで送信された内容を、図３の７が受信した電子メールを開く度に、図１の２の携帯電話の製造メーカーや管理業者から広告や宣伝又は広報などの図３の８のアイコン画面が自動的に添付されている為に、広告や宣伝又は広報などの情報を操作性もいたって簡単にいち早く多くの情報などを入手する事が出来ます。
図３の７で受信した電子メールを開く度に、毎回に渡って図１の２の携帯電話の製造メーカーや管理業者（例えばＮＴＴドコモやその他の携帯電話事業社）などより、常に新しい情報などが自動的に配信されます。
又、この常に新しい情報の、写真とかアイコンなどで配信者のホームページへ直接にアクセスする事が可能な発明です。
【発明実施の形態】
【０００５】図１の１の携帯電話で特定の相手並びに不特定の相手より電子メールで送信された内容を、図１の３が受信した電子メールを開くたびに、図３の８の常に新しい広告や宣伝又は広報などの新情報を簡単に入手でき、現代のＩＴ（アイティー）時代にふさわしい新らたな情報社会産業の始まりにつながる事が可能な発明です。
【発明の効果】
【０００６】この発明で、民間企業のクライアントや又は公的機関のクライアントなどから、広告代金など金銭のやり取りがインターネット上で電子マネーの扱いとする事も可能。
又、今までは、単に特定の相手並びに不特定の相手より受信した電子メールを閲覧するだけでしたが、図３の８のように自動的に添付されたアイコン画面から広告や宣伝又は広報などの情報を見る事で例えば購買意欲を深めたり、経済的な効果を高めたりする事などが可能な発明です。
【図面の簡単な説明】
【図１】  電子メールの送信者側と受信者側、そして携帯電話の製造メーカーや管理業者の図面。
【図２】  携帯電話で電子メールを送信した状態と、後に携帯電話の製造メーカーや管理業者により、自動的に広告や宣伝などを配信された状態の図面。
【図３】  携帯電話で電子メールを受信した状態の図面。
【符号の説明】
１−携帯電話の送信者側の全体図
２−携帯電話の製造メーカーや管理業者の全体図
３−携帯電話の受信者側の全体図
４−携帯電話の送信者側の全体図
５−携帯電話の送信者側の電子メールの文章などの内容図
６−携帯電話の送信者側へ自動的に配信された広告などの画面全体の内容図
７−携帯電話の受信者側の全体図
８−携帯電話の受信者側へ届いた電子メールなど画面全体の内容図
【図１】
2005301954.tif 000003
【図２】
2005301954.tif 000004
【図３】
2005301954.tif 000005